(57)【要約】【課題】ハイドロコロイドパッドを支持体に設けた救急絆創膏を高速に大量生産することができるようにした救急絆創膏の製造装置を提供する。【解決手段】本装置は、長さ方向に進行しているハイドロコロイドパッド原反２のセパレータ２ａに積層されたハイドロコロイド材２ｂに切込を等間隔に入れて個々に直列した状態のハイドロコロイドパッド２ｃを形成するハーフカッタ３１と、ハイドロコロイドパッド２ｃからセパレータ２ａを剥離し、かつ、ハイドロコロイドパッド２ｃを進行している粘着テープ原反１の粘着面に貼付する貼付手段３８とを備えている。また、ハイドロコロイドパッド原反２を迂回させる送り調整部２１がハーフカッタ３１の上流側に設けられ、ハーフカッタ３１の位置にハイドロコロイドパッド原反２を吸引するサクションブレーキ３７が配置され、ハイドロコロイドパッド原反２を間歇的に進行させるニップローラ３９が貼付手段３８の下流側に配置されている。【選択図】図２
2010162273.tif 000002
【特許請求の範囲】
【請求項１】
帯状のセパレータの片面全面にゲル状のハイドロコロイド材が積層されたハイドロコロイドパッド原反と、片面全面に粘着面を有する帯状の粘着テープ原反とを貼り合わせることによって救急絆創膏を製造する救急絆創膏の製造装置であって、
長さ方向に進行しているハイドロコロイドパッド原反のハイドロコロイド材に切込を等間隔に入れて個々に直列した状態のハイドロコロイドパッドを形成するハーフカッタと、前記ハイドロコロイドパッドからセパレータを剥離し、かつ、ハイドロコロイドパッドを進行している粘着テープ原反の粘着面に貼付する貼付手段とが備えられていることを特徴とする救急絆創膏の製造装置。
【請求項２】
ハイドロコロイドパッド原反を迂回させる送り調整部がハーフカッタの上流側に設けられ、該送り調整部とハーフカッタとの間又はハーフカッタの位置にハイドロコロイドパッド原反のセパレータを吸引するサクションブレーキが配置され、前記ハイドロコロイドパッド原反を間歇的に進行させるニップローラが前記貼付手段の下流側に配置されていることを特徴とする請求項１に記載の救急絆創膏の製造装置。
【請求項３】
前記粘着面が露出するように粘着テープ原反を円弧状に巻き付けながら進行させるドラムが前記貼付手段に隣接して配置されていることを特徴とする請求項１又は２に記載の救急絆創膏の製造装置。
【請求項４】
前記粘着テープ原反の粘着面上及び該粘着面に貼付されたハイドロコロイドパッド上に裏面側剥離テープ原反を貼付する裏面側剥離テープ原反の供給手段が配置されていることを特徴とする請求項１ないし３のいずれか１項に記載の救急絆創膏の製造装置。
【請求項５】
前記粘着テープ原反及び裏面側剥離テープ原反を切断し、所定形状の救急絆創膏を形成する成形手段が配置されていることを特徴とする請求項４に記載の救急絆創膏の製造装置。
【発明の詳細な説明】
【技術分野】
【０００１】
本発明は、支持体の裏面にゲル状のハイドロコロイドパッドを貼付した救急絆創膏を製造するための救急絆創膏の製造装置に関する。
【背景技術】
【０００２】
切傷や擦傷をウェットの状態で蘇生させるためのハイドロコロイドドレッシング材を使用した救急絆創膏が提供されている。この救急絆創膏は、図４（ａ）に示すように、ハイドロコロイド層１１０の表面側と裏面側にそれぞれ薄膜状の支持体１１１と薄膜状の剥離体１１２とが重ねあわされたもので、図４（ｂ）に示すように、剥離体１１２が剥離されることによって露出するハイドロコロイド層１１０が皮膚Ｓに貼り付けられる。
【０００３】
なお、図４（ａ）（ｂ）のハイドロコロイド層１１０、支持体１１１及び剥離体１１２の厚さは、実際よりも誇張して描いてあり、また、剥離体１１２は、図示しないが、一端寄りが２枚重ね合わされ、捲りやすいようにされている。
【０００４】
そして、この救急絆創膏は、ハイドロコロイド層１１０が中心側を厚肉、周縁側を徐々に薄肉とした山形形状とされている。ハイドロコロイド層１１０の周縁が薄肉とされることにより、皮膚Ｓに貼り付けられた救急絆創膏は、皮膚Ｓから剥がしやすくなっている。
【０００５】
しかし、ハイドロコロイド層１１０の周縁が薄肉ながら厚さを有することにより、この周縁からハイドロコロイド層１１０の内部に水分が浸透し、皮膚に貼り付けられた救急絆創膏は、傷口が蘇生しないうちに浮き剥がれてしまうこともある。
【０００６】
また、特許文献１には、図５に示すように、ハイドロコロイドパッド１１３を支持体１１１の中心部に積層した救急絆創膏が開示されている。この救急絆創膏は、次のような方法によって製造される。
【０００７】
すなわち、まず、片面を剥離処理したプラスチックシートや紙などからなるセパレータの片面に、ハイドロコロイド層を形成するための材料を棒状に押し出したり、一定の厚みで押し出したりする。次に、この押出塗工面にポリウレタンなどからなる伸縮性布帛を貼着加圧して、セパレータから裏打ち材の片面にハイドロコロイド層を転着してパッド用原反を作製する。次に、別途作製された粘着シートの粘着剤層面の中央域に、前記パッド用原反を裁断した救急絆創膏用パッド１１２を載置し、裏打ち材背面を貼着、積層する。このようにして粘着補強された救急絆創膏が得られる。
【先行技術文献】
【特許文献】
【０００８】
【特許文献１】特開２００２−６３９号公報
【発明の概要】
【発明が解決しようとする課題】
【０００９】
特許文献１には、ハイドロコロイドパッド１１３を支持体１１１に貼付した救急絆創膏の製造方法が概念的に記載されているものの、具体的にどのような装置を使用して救急絆創膏を製造するか明確にされていない。
【００１０】
そこで、本発明は、ハイドロコロイドパッドを支持体に貼付した救急絆創膏を高速に大量生産することができるようにした救急絆創膏の製造装置を提供することを課題とする。
【課題を解決するための手段】
【００１１】
本発明に係る救急絆創膏の製造装置は、帯状のセパレータの片面全面にゲル状のハイドロコロイド材が積層されたハイドロコロイドパッド原反と、片面全面に粘着面を有する帯状の粘着テープ原反とを貼り合わせることによって救急絆創膏を製造する救急絆創膏の製造装置であって、長さ方向に進行しているハイドロコロイドパッド原反のハイドロコロイド材に切込を等間隔に入れて個々に直列した状態のハイドロコロイドパッドを形成するハーフカッタと、前記ハイドロコロイドパッドからセパレータを剥離し、かつ、ハイドロコロイドパッドを進行している粘着テープ原反の粘着面に貼付する貼付手段とが備えられていることを特徴としている。
【００１２】
この救急絆創膏の製造装置によれば、ハイドロコロイドパッド原反の帯状のセパレータに積層されたゲル状のハイドロコロイド材に、ハーフカッタによって全幅に亘って切込が入れられることにより、個々に直列した状態のハイドロコロイドパッドに形成され、このハイドロコロイドパッドが貼付手段によってセパレータから剥離されて粘着テープ原反の粘着面に貼付されることにより、救急絆創膏を連続して高速に大量生産することができる。
【００１３】
また、前記本発明に係る救急絆創膏の製造装置において、ハイドロコロイドパッド原反を迂回させる送り調整部がハーフカッタの上流側に設けられ、該送り調整部とハーフカッタとの間又はハーフカッタの位置にハイドロコロイドパッド原反のセパレータを吸引するサクションブレーキが配置され、前記ハイドロコロイドパッド原反を間歇的に進行させるニップローラが前記貼付手段の下流側に配置されていることが好ましい。
【００１４】
この救急絆創膏の製造装置によれば、粘着テープ原反がコンスタントに進行する一方、ハイドロコロイドパッド原反がニップローラによって間歇的に進行することにより、ハイドロコロイドパッド原反が一旦停止している間はハイドロコロイドパッドが粘着テープ原反に貼付されず、ハイドロコロイドパッド原反が進行している間のみハイドロコロイドパッドが粘着テープ原反に貼付されるため、ハイドロコロイドパッドを一定の間隔を空けて粘着テープ原反に貼付することができる。
【００１５】
さらに、この救急絆創膏の製造装置によれば、送り調整部が設けられていることにより、ハイドロコロイドパッド原反がロールからコンスタントに繰り出されても、間歇的に粘着テープ原反の方へ進行することができる。すなわち、ハイドロコロイドパッド原反は、間歇的に進行することにより、粘着テープ原反側で一旦停止する状態となるが、送り調整部のハイドロコロイドパッド原反の迂回量は、一旦停止している間に大きくなり、進行している間に小さくなることにより、ハイドロコロイドパッド原反をロールからコンスタントに繰り出すことができる。そして、ハイドロコロイドパッド原反は、一旦停止している間、セパレータがサクションブレーキに吸引され、ハーフカッタがハイドロコロイド材に切込を入れて、ハイドロコロイドパッドを形成する。
【００１６】
また、前記本発明に係る救急絆創膏の製造装置において、前記粘着面が露出するように粘着テープ原反を円弧状に巻き付けながら進行させるドラムが前記貼付手段に隣接して配置されていることが好ましい。
【００１７】
この救急絆創膏の製造装置によれば、粘着テープ原反は、ドラムに例えば半周程度に円弧状に巻き付けられながら進行され、一定の張力が掛けられた状態とされることにより、粘着テープ原反の粘着面上にハイドロコロイドパッドを的確に貼付することができる。
【００１８】
また、前記本発明に係る救急絆創膏の製造装置において、前記粘着テープ原反の粘着面上及び該粘着面に貼付されたハイドロコロイドパッド上に製品用剥離テープ原反を貼付する製品用剥離テープ原反の供給手段が配置されていることが好ましい。
【００１９】
この救急絆創膏の製造装置によれば、製品用剥離テープ原反の供給手段によって粘着テープ原反の粘着面上及び該粘着面に貼付されたハイドロコロイドパッド上に製品用剥離テープ原反を貼付することができる。
【００２０】
また、前記本発明に係る救急絆創膏の製造装置において、前記粘着テープ原反及び製品用剥離テープ原反を切断し、所定形状の救急絆創膏を形成する成形手段が配置されていることが好ましい。
【００２１】
この救急絆創膏の製造装置によれば、成形手段によって前記粘着テープ原反及び製品用剥離テープ原反が切断されることにより、支持体及び剥離体が形成され、そして、ハイドロコロイドパッドが支持体と剥離体との間に挟まれた所定形状の救急絆創膏を形成することができる。
【発明の効果】
【００２２】
本発明によれば、ハイドロコロイドパッド原反の帯状のセパレータに積層されたハイドロコロイド材がハーフカッタによって個々に直列した状態のハイドロコロイドパッドに形成され、このハイドロコロイドパッドが粘着テープ原反の粘着面に貼付されることにより、ハイドロコロイドパッドを支持体上に貼付した救急絆創膏を高速に大量生産することができる。この結果、本発明は、このハイドロコロイドパッドを支持体上に貼付した救急絆創膏のコストダウンを図ることができる。
【図面の簡単な説明】
【００２３】
【図１】本発明に係る救急絆創膏の製造装置の一実施形態を示す全体の概略正面図である。
【図２】本発明に係る救急絆創膏の製造装置の一実施形態を示す要部の概略正面図である。
【図３】本発明に係る救急絆創膏の製造装置によって製造される救急絆創膏であり、（ａ）は大きなサイズの救急絆創膏の断面正面図、（ｂ）は小さなサイズの救急絆創膏の断面正面図である。
【図４】ハイドロコロイド層を有する救急絆創膏の従来例を示す断面正面図である。
【図５】ハイドロコロイドパッドを有する救急絆創膏の図４と異なる従来例を示す平面図である。
【発明を実施するための形態】
【００２４】
本発明に係る救急絆創膏の製造装置の一実施形態について図１から図３を参照しながら説明する。この救急絆創膏の製造装置は、図３（ａ）（ｂ）に示すような救急絆創膏を製造する装置である。この救急絆創膏は、上下の包装材１０５，１０６に挟まれ、上下の包装材１０５，１０６の四方の周辺部がシールされることにより、最終製品となる。
【００２５】
上側の包装材１０５は、中の救急絆創膏が見えるように透明フィルムが使用され、下側の包装材１０６は救急絆創膏を殺菌するための滅菌紙が使用される場合もある。なお、図３（ａ）（ｂ）に示す上下の包装材１０５，１０６は、見やすくするため、救急絆創膏から離間しているが、実際は救急絆創膏に密着していることはいうまでもない。
【００２６】
そして、図３（ａ）（ｂ）に示す救急絆創膏は、ともに、皮膚に貼付される極薄の支持体１０１の裏面（図面では下面）の中心部にハイドロコロイドパッド２ｃを貼付したものである。
【００２７】
ただし、図３（ａ）の救急絆創膏は、図３（ｂ）の救急絆創膏よりも大きなサイズであり、皮膚に貼付するときに、極薄の支持体１０１が縮んで皺が生じないようにする、すなわち腰を有するようにするため、表面側剥離体１０４が支持体１０１の表面（図面では上面）に貼り合わされ、裏面に３枚の裏面側剥離体１０３（図面では２枚）が貼り合わされている。また、図３（ｂ）の救急絆創膏は、サイズが小さいため、支持体１０１の表面に表面側剥離体１０４が貼り合わされず、支持体１０１の裏面に２枚の裏面側剥離体１０３が貼り合わされている。
【００２８】
このような救急絆創膏を製造するための救急絆創膏の製造装置は、図１に示すように、粘着テープ原反１、ハイドロコロイドパッド原反２、裏面側剥離テープ原反４から救急絆創膏を製造し、上包装材原反５、下包装材原反６から形成される包装材１０５，１０６によって救急絆創膏を包装した最終製品を製造するためのもので、上流側から下流側に、粘着テープ原反の供給手段１０、剥離手段１１、ドラム（以下、「メインドラム」という。）１２、ハイドロコロイドパッド原反の供給手段２０、ハイドロコロイドパッド形成手段３０、裏面側剥離テープ原反の供給手段４０、成形手段５０、包装手段６０が配置されている。
【００２９】
粘着テープ原反の供給手段１０により、粘着テープ原反１がロール状に巻回された状態から繰り出される。粘着テープ原反１は、切断されることによって支持体１０１となるものであり、帯状のキャリアテープ１ａの裏面に粘着面が設けられたもので、この粘着面上にセパレータ１ｂが剥離可能に貼着され、ロール状に巻回された状態からコンスタントに繰り出される。
【００３０】
また、救急絆創膏が図３（ａ）に示したような大きなサイズの場合は、キャリアテープ１ａの表面に表面側剥離体の原反（図示せず）が貼付され、適度な腰を有するようにされている。この表面側剥離体の原反は繰り出された後、センターライン又は偏心したラインで分断される。なお、キャリアテープ１ａの表面は、粘着性を有していないため、キャリアテープ１ａの各側縁部に重なり合う表面側剥離体の原反の各側部は、粘着力を有するものとされている。
【００３１】
また、救急絆創膏が図３（ｂ）に示したような小さなサイズの場合は、キャリアテープ１ａの表面に表面側剥離体の原反は貼付されていない。なお、以下の実施形態では、表面側剥離体の原反については説明しない。
【００３２】
そして、粘着テープ原反の供給手段１０とメインドラム１２との間に剥離手段１１が配置され、この剥離手段１１により、粘着テープ原反１のセパレータ１ｂがキャリアテープ１ａから剥離され、粘着テープ原反１の粘着面が露出するようにされている（ここでは、セパレータ１ｂが剥離された状態も「粘着テープ原反１」という。）。
【００３３】
そして、メインドラム１２は、粘着テープ原反１のキャリアテープ１ａの粘着面が上向きに露出するように、この粘着テープ原反１を半周程度円弧状に巻き付けながら進行させる。また、メインドラム１２内には、粘着テープ原反１の裏面を半周程度吸着する吸気機構（図示せず）が備えられている。ただし、吸気機構は、必須でなく、粘着テープ原反１がメインドラム１２上を滑りにくいようにする滑り止め機能が備えられていてもよい。
【００３４】
そして、ハイドロコロイドパッド原反の供給手段２０は、２巻のロール状に巻回されたハイドロコロイドパッド原反２，２をコンスタントに繰り出すもので（他方を仮想線で図示する。）、一方のハイドロコロイドパッド原反２が使い切られると、他方のハイドロコロイドパッド原反２が連続して繰り出されるようにされている。ただし、ハイドロコロイドパッド原反の供給手段２０は、１巻のハイドロコロイドパッド原反２のみ繰り出すようにしてもよい。
【００３５】
そして、ハイドロコロイドパッド原反２は、粘着テープ原反１よりも幅狭の帯状のセパレータ２ａの裏面全面にゲル状のハイドロコロイド材２ｂを積層したもので、ロール状に巻回された状態からコンスタントに繰り出され、メインドラム１２側において間歇的に進行するようにされている。
【００３６】
セパレータ２ａは、両面面セパレータと呼ばれるもので、ロール状に巻回された状態において、重なり合っているハイドロコロイド材２ｂの表面とセパレータ２ａの表面とが剥離可能に密着し、さらに、ハイドロコロイド材２ｂの裏面とセパレータ２ａの裏面とが密着した状態を維持しつつ、ハイドロコロイド材２ｂの表面とセパレータ２ａの表面とが剥離することによって繰り出すことができるようにされている。
【００３７】
そして、ハイドロコロイドパッド原反の供給手段２０の下流側には、ハイドロコロイドパッド原反２を迂回させる送り調整部２１が設けられている。この送り調整部２１により、ハイドロコロイドパッド原反２は、メインドラム１２側において間歇的に進行するようにされていても、ハイドロコロイドパッド原反の供給手段２０からコンスタントに繰り出すことができるようにされている。
【００３８】
この送り調整部２１の下流側にハイドロコロイドパッド形成手段３０が配置されている。ハイドロコロイドパッド形成手段３０は、図２に示すように、ハイドロコロイドパッド原反２がハイドロコロイド材２ｂを上向きにして間歇的に進行するラインにおいて、ハイドロコロイド材２ｂに切込を全幅に亘って入れるハーフカッタ３１を備えている。ハーフカッタ３１がハイドロコロイド材２ｂに一定の間隔を空けて切込を入れることにより、一定の幅のハイドロコロイドパッド２ｃ，２ｃ，…が個々に直列した状態に形成される。
【００３９】
ハーフカッタ３１は、昇降動し、下降したときにハイドロコロイド材２ｂにのみ切込を入れるもので、トムソン刃を使用することが好ましい。また、ハーフカッタ３１は、刃先が突出するようにホルダ３２に着脱自在に取り付けられ、ホルダ３２がサーボモータとクランク（ともに図示せず）によって昇降動するようにされている。
【００４０】
また、前記ホルダ３２やサーボモータは、フレーム３３ａに固定されている。そして、このフレーム３３ａは、切込のピッチを調整することができるように、フレーム３３ａの位置をハイドロコロイドパッド原反２の進行方向と同じ方向に調整するベース３３に取り付けられている。
【００４１】
また、ハーフカッタ３１の上流側と下流側とには、特に、ハーフカッタ３１によってハイドロコロイド材２ｂに切込を入れるときに、ハイドロコロイドパッド原反２が浮き上がらないようにするためのローラ３４，３４が配置されている。
【００４２】
そして、ハーフカッタ３１の下側には、ハイドロコロイドパッド原反２のセパレータ２ａに当接する受刃３５が配置されている。この受刃３５は、高さ位置を微調整することができる台座３６の上面に固定され、台座３６の高さ位置によってハイドロコロイド材２ｂへの切込の深さを調整することができるようにされている。
【００４３】
台座３６は、上下に重なり合う傾斜面を有する一対のスライド部材３６ａ，３６ｂと、下側のスライド部材３６ａを前後に移動させるスクリュウ３６ｃとを備え、スクリュウ３６ｃを回して下側のスライド部材３６ａを前後に移動させることにより、上側のスライド部材３６ｂが上下するようにされている。
【００４４】
また、台座３６には、ハイドロコロイドパッド原反２のセパレータ２ａの表面を間歇的に吸引する一対の吸気孔３７ａ，３７ａが形成され、この吸気孔３７ａ，３７ａと、吸気孔３７ａ，３７ａに接続されたバキューム機構（図示せず）によってサクションブレーキ３７が構成されている。
【００４５】
ハイドロコロイドパッド原反２のセパレータ２ａの裏面には、ハイドロコロイド材２ｂが積層されているため、ハイドロコロイドパッド原反２をハイドロコロイド材２ｂの上面から強力に仮固定することができないが、サクションブレーキ３７によってハイドロコロイドパッド原反２のセパレータ２ａの表面を吸引することにより、ハイドロコロイドパッド原反２を強力に仮固定することができる。
【００４６】
そして、ハーフカッタ３１によってハイドロコロイド材２ｂに切込が入れられてハイドロコロイドパッド２ｃを形成したハイドロコロイドパッド原反２が間歇的に進行し、メインドラム１２に隣接する位置において、ナイフエッジ形状とされた貼付手段３８が配置されている。貼付手段３８は、セパレータ２ａをハイドロコロイドパッド２ｃから剥離し、ハイドロコロイドパッド２ｃをメインドラム１２上の粘着テープ原反１に一定の間隔ごとに貼付する。
【００４７】
そして、メインドラム１２付近には、ハイドロコロイドパッド２ｃを剥離したセパレータ２ａを間歇的に引っ張るニップローラ３９が配置されている。ニップローラ３９がハイドロコロイドパッド原反２を引っ張る時と、サクションブレーキ３７がハイドロコロイドパッド原反２のセパレータ２ａを吸引する時とのタイミングが一致するように制御されており、ニップローラ３９がハイドロコロイドパッド原反２を引っ張っても、ハイドロコロイドパッド原反２がハイドロコロイドパッド原反の供給手段２０から引っ張り出されすぎることがないようにされている。
【００４８】
そして、図１に示すように、裏面側剥離テープ原反の供給手段４０には、ロール状に巻回された３巻の裏面側剥離テープ原反４，４，４を繰り出すそれぞれの移送手段４１と、メインドラム１２上で粘着テープ原反１の粘着面に貼付されたハイドロコロイドパッド２ｃ及びこの粘着テープ原反１の粘着面上に裏面側剥離テープ原反４を重ね合わせるローラ４２，４２とが備えられている。
【００４９】
そして、成形手段５０は、貼り合わされた粘着テープ原反１と裏面側剥離テープ原反４とを打ち抜き、所定形状の救急絆創膏を成形するカッター（図示せず）などを備えている。なお、打ち抜かれた残余のスクラップ５ａは、回収手段５１によってロール状に巻き取られる。
【００５０】
そして、包装手段６０は、上側から繰り出される透明又は紙質の上包装用原反５と、下側から繰り出される紙質の下包装材原反６とが救急絆創膏を上下から挟み、四方の周辺部をシールするシーラー６１と、所定形状に切断するカッター６２を備えている。
【００５１】
救急絆創膏の製造装置は、以上のように構成され、次に、救急絆創膏を製造する方法について説明する。
【００５２】
粘着テープ原反１が粘着テープ原反の供給手段１０によってコンスタントに繰り出され、粘着テープ原反１のセパレータ１ｂが剥離手段１１によってキャリアテープ１ａから剥離され、キャリアテープ１ａが粘着面を露出させた状態でメインドラム１２に半周程度巻き付けられた状態でコンスタントに進行する。
【００５３】
一方、ハイドロコロイドパッド原反２は、ハイドロコロイドパッド原反の供給手段２０からコンスタントに繰り出され、送り調整部２１において迂回した後、ハイドロコロイドパッド形成手段３０までコンスタントに進行する。そして、ハイドロコロイドパッド原反２は、ニップローラ３９によってハイドロコロイドパッド形成手段３０からメインドラム１２の方へ間歇的に進行する。
【００５４】
すなわち、ハイドロコロイドパッド原反２は、停止した状態と進行する状態とを繰り返すが、送り調整部２１において、ハイドロコロイドパッド原反２の迂回量が一旦停止している間に大きくなり、進行している間に小さくなることにより、ハイドロコロイドパッド原反の供給手段２０からコンスタントに繰り出される。そして、ハイドロコロイドパッド原反２は、ニップローラ３９によって引っ張られた状態となっても、サクションブレーキ３７に吸引されることにより、ハイドロコロイドパッド原反の供給手段２０から引き出されすぎることがない。
【００５５】
また、ハイドロコロイドパッド原反２は、ハイドロコロイドパッド形成手段３０において、サクションブレーキ３７の吸気孔３７ａ，３７ａに吸引されて停止している間にハーフカッタ３１によってハイドロコロイド材２ｂに切込が全幅に亘って、かつ、一定の間隔を空けて連続して入れられ、個々に直列した状態のハイドロコロイドパッド２ｃ，２ｃ，…が形成される。
【００５６】
なお、ハーフカッタ３１がハイドロコロイド材２ｂに切込を入れた後、上昇するときに、ハイドロコロイドパッド原反２の上面、すなわちハイドロコロイド材２ｂとハイドロコロイドパッド２ｃとがローラ３４，３４によって押さえられることにより、ハイドロコロイドパッド原反２がハーフカッタ３１に連れられて浮き上がることがない。
【００５７】
そして、間歇的に進行しているハイドロコロイドパッド原反２は、メインドラム１２方向に間歇的に進行し、貼付手段３８によってセパレータ２ａがハイドロコロイドパッド２ｃから剥離してニップローラ３９の方へ引っ張られ、ロール状に巻回される。
【００５８】
他方、セパレータ２ａから剥離したハイドロコロイドパッド２ｃは、メインドラム１２上の粘着テープ原反１のキャリアテープ１ａの粘着面上に次々と貼付される。ただし、ハイドロコロイドパッド原反２が間歇的に進行する一方、粘着テープ原反１がコンスタントに進行するようにされていることにより、ハイドロコロイドパッド２ｃは、一定の間隔を空けて粘着テープ原反１のキャリアテープ１ａ上に貼付される。
【００５９】
すなわち、ハイドロコロイドパッド原反２が一旦停止している間、ハイドロコロイドパッド２ｃが粘着テープ原反１のキャリアテープ１ａ上に貼付されず、隣り合っているハイドロコロイドパッド２ｃとハイドロコロイドパッド２ｃとの間に一定の間隔が空けられる。
【００６０】
そして、この粘着テープ原反１のキャリアテープ１ａ上及びハイドロコロイドパッド２ｃ上に３本の裏面側剥離テープ原反４，４，４がローラによって重ね合わされる。これらの原反１，４，４，４は、隣り合っているハイドロコロイドパッド２ｃとハイドロコロイドパッド２ｃとの間や周囲が成形手段５０のカッターによって打ち抜かれ、所定形状の支持体１０１や裏面側剥離体１０３に形成される。すると、ハイドロコロイドパッド２ｃを支持体１０１の中心部に貼付し、かつ、支持体１０１と裏面側剥離体１０３との間に挟んだ救急絆創膏が成形される。
【００６１】
この救急絆創膏は、上下から包装材原反５，６に挟まれ、包装手段６０のシーラー６１によって包装材原反５，６の四方の周辺部がシールされ、その周辺部がカッター６２によって切断されることにより、図３（ａ）に示すような最終製品が完成する。
【００６２】
なお、本発明は、前記の実施形態に限定することなく、種々変更することができる。例えば、前記の救急絆創膏の製造装置は、ハイドロコロイドパッド２ｃを支持体１０１の中心部分に貼付した救急絆創膏を製造するように構成しているが、ハイドロコロイドパッド２ｃを支持体１０１と同じサイズとした救急絆創膏を製造してもよく、この場合は、ハイドロコロイドパッド原反２の送り調整部２１やサクションブレーキ３７を備えず、ニップローラ３９に替えてコンスタントに繰り出すローラを備えることにより、ハイドロコロイドパッド２ｃを間隔を空けることなく連続して粘着テープ原反１のキャリアテープ１ａ上に貼付する。
【００６３】
また、サクションブレーキ３７は、ハーフカッタ３１の位置ではなく、ハーフカッタ３１と送り調整部２１との間に配置してもよい。また、粘着テープ原反１はドラム１２に巻き付けられないで、平板状のプレート上を進行し、このプレート上の粘着テープ原反１にハイドロコロイドパッド２ｃを貼付するようにしてもよい。
【符号の説明】
【００６４】
１………粘着テープ原反
２………ハイドロコロイドパッド原反
２ａ……セパレータ
２ｂ……ハイドロコロイド材
２ｃ……ハイドロコロイドパッド
４………裏面側剥離テープ原反
１２……ドラム（メインドラム）
２１……送り調整部
３１……ハーフカッタ
３７……サクションブレーキ
３８……貼付手段
３９……ニップローラ
４０……裏面側剥離テープの供給手段
５０……成形手段
【図１】
2010162273.tif 000003
【図２】
2010162273.tif 000004
【図３】
2010162273.tif 000005
【図４】
2010162273.tif 000006
【図５】
2010162273.tif 000007
【手続補正書】
【提出日】平成21年9月29日(2009.9.29)
【手続補正１】
【補正対象書類名】特許請求の範囲
【補正対象項目名】請求項１
【補正方法】変更
【補正の内容】
【請求項１】
帯状のセパレータの片面全面にゲル状のハイドロコロイド材が積層されたハイドロコロイドパッド原反と、片面全面に粘着面を有する帯状の粘着テープ原反とを貼り合わせることによって救急絆創膏を製造する救急絆創膏の製造装置であって、
長さ方向に進行しているハイドロコロイドパッド原反のハイドロコロイド材にのみ切込を等間隔に入れて個々に直列した状態のハイドロコロイドパッドをセパレータ上に形成するハーフカッタと、
長さ方向に進行している粘着テープ原反の粘着面側に先端を隣接させて配置されるナイフエッジ形状とされ、該ナイフエッジにセパレータを沿わせつつ前記ハイドロコロイドパッドを形成したハイドロコロイドパッド原反を粘着テープ原反の長さ方向に進行させ、かつ、セパレータをナイフエッジの先端で折り返して反対方向に進行させることにより、前記ハイドロコロイドパッドをセパレータから剥離し、かつ、セパレータから剥離したハイドロコロイドパッドを進行している粘着テープ原反の粘着面に供給して、ハイドロコロイドパッドを粘着テープ原反の粘着面に貼付させる貼付手段と
が備えられていることを特徴とする救急絆創膏の製造装置。
【手続補正２】
【補正対象書類名】特許請求の範囲
【補正対象項目名】請求項２
【補正方法】変更
【補正の内容】
【請求項２】
ハイドロコロイドパッド原反を迂回させる送り調整部がハーフカッタの上流側に設けられ、該送り調整部とハーフカッタとの間又はハーフカッタの位置にハイドロコロイドパッド原反のセパレータを吸引するサクションブレーキが配置され、前記ハイドロコロイドパッドを剥離したセパレータを間歇的に引っ張ることにより前記ハイドロコロイドパッド原反を間歇的に進行させるニップローラが前記貼付手段の下流側に配置されていることを特徴とする請求項１に記載の救急絆創膏の製造装置。
【手続補正３】
【補正対象書類名】明細書
【補正対象項目名】０００７
【補正方法】変更
【補正の内容】
【０００７】
すなわち、まず、片面を剥離処理したプラスチックシートや紙などからなるセパレータの片面に、ハイドロコロイド層を形成するための材料を棒状に押し出したり、一定の厚みで押し出したりする。次に、この押出塗工面にポリウレタンなどからなる伸縮性布帛を貼着加圧して、セパレータから裏打ち材の片面にハイドロコロイド層を転着してパッド用原反を作製する。次に、別途作製された粘着シートの粘着剤層面の中央域に、前記パッド用原反を裁断した救急絆創膏用パッドを載置し、裏打ち材背面を貼着、積層する。このようにして粘着補強された救急絆創膏が得られる。
【手続補正４】
【補正対象書類名】明細書
【補正対象項目名】００１１
【補正方法】変更
【補正の内容】
【００１１】
本発明に係る救急絆創膏の製造装置は、帯状のセパレータの片面全面にゲル状のハイドロコロイド材が積層されたハイドロコロイドパッド原反と、片面全面に粘着面を有する帯状の粘着テープ原反とを貼り合わせることによって救急絆創膏を製造する救急絆創膏の製造装置であって、長さ方向に進行しているハイドロコロイドパッド原反のハイドロコロイド材にのみ切込を等間隔に入れて個々に直列した状態のハイドロコロイドパッドをセパレータ上に形成するハーフカッタと、長さ方向に進行している粘着テープ原反の粘着面側に先端を隣接させて配置されるナイフエッジ形状とされ、該ナイフエッジにセパレータを沿わせつつ前記ハイドロコロイドパッドを形成したハイドロコロイドパッド原反を粘着テープ原反の長さ方向に進行させ、かつ、セパレータをナイフエッジの先端で折り返して反対方向に進行させることにより、前記ハイドロコロイドパッドをセパレータから剥離し、かつ、セパレータから剥離したハイドロコロイドパッドを進行している粘着テープ原反の粘着面に供給して、ハイドロコロイドパッドを粘着テープ原反の粘着面に貼付させる貼付手段とが備えられていることを特徴としている。
【手続補正５】
【補正対象書類名】明細書
【補正対象項目名】００１３
【補正方法】変更
【補正の内容】
【００１３】
また、前記本発明に係る救急絆創膏の製造装置において、ハイドロコロイドパッド原反を迂回させる送り調整部がハーフカッタの上流側に設けられ、該送り調整部とハーフカッタとの間又はハーフカッタの位置にハイドロコロイドパッド原反のセパレータを吸引するサクションブレーキが配置され、前記ハイドロコロイドパッドを剥離したセパレータを間歇的に引っ張ることにより前記ハイドロコロイドパッド原反を間歇的に進行させるニップローラが前記貼付手段の下流側に配置されていることが好ましい。
【手続補正６】
【補正対象書類名】明細書
【補正対象項目名】００３６
【補正方法】変更
【補正の内容】
【００３６】
セパレータ２ａは、両面セパレータと呼ばれるもので、ロール状に巻回された状態において、重なり合っているハイドロコロイド材２ｂの表面とセパレータ２ａの表面とが剥離可能に密着し、さらに、ハイドロコロイド材２ｂの裏面とセパレータ２ａの裏面とが密着した状態を維持しつつ、ハイドロコロイド材２ｂの表面とセパレータ２ａの表面とが剥離することによって繰り出すことができるようにされている。
【手続補正７】
【補正対象書類名】明細書
【補正対象項目名】００４０
【補正方法】変更
【補正の内容】
【００４０】
また、前記ホルダ３２やサーボモータは、フレーム３３ａに固定されている。そして、このフレーム３３ａは、切込のピッチを調整することができるように、フレーム３３ａの位置をハイドロコロイドパッド原反２の進行方向と同じ方向に調整するベース３３ｂに取り付けられている。
【手続補正８】
【補正対象書類名】明細書
【補正対象項目名】００６０
【補正方法】変更
【補正の内容】
【００６０】
そして、この粘着テープ原反１のキャリアテープ１ａ上及びハイドロコロイドパッド２ｃ上に３本の裏面側剥離テープ原反４，４，４がローラ４２，４２によって重ね合わされる。これらの原反１，４，４，４は、隣り合っているハイドロコロイドパッド２ｃとハイドロコロイドパッド２ｃとの間や周囲が成形手段５０のカッターによって打ち抜かれ、所定形状の支持体１０１や裏面側剥離体１０３に形成される。すると、ハイドロコロイドパッド２ｃを支持体１０１の中心部に貼付し、かつ、支持体１０１と裏面側剥離体１０３との間に挟んだ救急絆創膏が成形される。